(57)【特許請求の範囲】
【請求項１】
機材、器材の窓、又は換気扇の吸込口の周辺に取付けられる安全カバーにおいて、
この安全カバーは、枠体と、この枠体に立上げる方形状、異形状の枠片と、この枠片の折曲げを補助する列設した多数の孔と、この枠片の内側に開設した方形状、異形状の開口部と、この開口部に設けた多数本の一方の素材と、多数本の他方の素材とでなるネットとで構成し、
この枠片の対峙面には、それぞれ対峙する多数の小孔を、それぞれ開設し、この対峙する一方の各小孔に、前記ネットの各一方の素材の両端部を、また、この対峙する他方の各小孔に、このネットの各他方の素材の両端部を、それぞれ差込み、かつ支持し、この枠片に、このネットを取付ける構造とし、
前記枠片は、内側、又は外側に向って傾斜する構成とし、この傾斜した枠片に設けた前記各小孔の傾斜面と、前記機材、器材の窓、又は換気扇の吸込口の周辺の面に沿って設けられた、前記ネットの各一方の素材と、各他方の素材との接触部で楔効果を発揮可能とする構成とした安全ネット。
【請求項２】
請求項１に記載の安全ネットにおいて、
前記内側、又は外側に向って傾斜した枠片は、その隣接する四隅を、開放する構成とした安全ネット。
【発明の詳細な説明】
【技術分野】
【０００１】
本発明は、機材、器材の窓、又は換気扇の吸込口の周辺に取付けられる安全カバーにおいて、溶接を不要とした（溶接レス）の安全ネットに関する。
【背景技術】
【０００２】
従来の安全ネットは、方形状の枠体（安全カバーの本体）に、開口部を開設するとともに、この開口部の周辺に残した方形状の枠片と、この枠片に開設した取付け孔とを設け、この枠片の表面に、ネットの素材（ネット素材）の端部（又はパンチングメタルの周辺部）等を、溶接手段により取付ける構成である。従って、枠体と開口部を製作する工程と、ネットを開口部の寸法に合せて切断し、このネットの素材の全部の端部を、溶接で取付ける工程を利用して一体にする構成である。
【０００３】
しかし、この取付け方法では、溶接という手段を採用することで、手間を要し、面倒であること、資材を要すること、等の作業面での問題と、また、溶接による歪の発生と、品質劣化等の問題がある。また、この溶接レスを達成する最適な枠体の構造としては、枠体から立設した（立上げて）枠片を形成し、この枠片の対峙面に多数の小孔を開設し、この小孔を利用して、ネットを取付ける構造が望ましい実施例である。
【０００４】
以上のような観点から、先行文献において解決手段が見出される構造（望ましい実施例）を、以下に文献として説明する。
【０００５】
先ず、枠片の立設する構造としては、特開２００６−９４９５９号公報の「鋼板製の組立ブロック箱枠棚用の枠板と該枠板から組立ブロック箱枠及び組立ブロック箱枠棚」であり（文献（１））、この発明の中で、ブロック箱枠を組立て構成する際に、連接した二枚の枠板を折曲げる際に、その折曲げ部に線状切込みを形成することで、手作業で折畳み（９０度）に加工できる構造が開示されている。この発明の特徴は、格別の工具、ネジ締めやボルトを必要とせず、枠板から、ブロック箱枠等を組立て可能とすることにある。
【０００６】
次に、金網（ネット）の取付け構造としては、実用新案登録第３００５３２５号公報の「ステンレス金網フェンスの縦桟及び金網取付け構造」であり（文献（２））、この考案の中で、金網の各端部を縦横棧の孔に挿入した後、この各端部を縦横用楔着ピンを利用して、この金網を縦横棧に組付け固着する構造である。この考案の特徴は、溶接、ネジ締めやボルトを必要とせず、金網フェンスを組立て可能とすることにある。
【０００７】
【特許文献１】特開２００６−９４９５９号公報
【特許文献２】実用新案登録第３００５３２５号公報
【発明の概要】
【発明が解決しようとする課題】
【０００８】
前記文献（１）は、折曲げ部に線状切込みを形成することで、手作業で折畳み加工できる構造が開示されている。しかし、安全ネットを、溶接レスで構成（製造）すること、又はネットを取付けるに、最適な枠片構造を確保すること、等に関しての開示がなく、一面的な改良に留まるものと考えられる。
【０００９】
また、前記文献（２）は、金網の各端部を縦横棧の孔に挿入した後、この各端部を縦横用楔着ピンを利用して、この金網を縦横棧に組付け固着する構造が開示されている。しかし、安全ネットを、ネットを取付けるに、最適な枠片構造を確保するには、改良の余地があること、また、この考案は、縦横用楔着ピンを利用する構造であり、ネットを簡易、かつワンタッチで取付けるには改良の余地が考えられること、等の如く、一面的な改良に留まるものと考えられる。
【課題を解決するための手段】
【００１０】
請求項１の発明は、溶接レス、及び手作業で枠体のネットの取付け位置と、その取付け箇所を確保できる安全ネットを提供すること、又はネットを、工具を必要とせず、簡易かつワンタッチでの取付け、又は取外し（着脱）ができる安全ネットの構造を提供すること、等を意図する。また、この請求項１の発明は、前記自由なネットの着脱を介して、保守管理の容易化と、収容・製造の容易化、又は低コスト化、等を意図し、さらに、その枠片の構造を提供することを意図する。
【００１１】
この請求項１は、機材、器材の窓、又は換気扇の吸込口の周辺に取付けられる安全カバーにおいて、
この安全カバーは、枠体と、この枠体に立上げる方形状、異形状の枠片と、この枠片の折曲げを補助する列設した多数の孔と、この枠片の内側に開設した方形状、異形状の開口部と、この開口部に設けた多数本の一方の素材と、多数本の他方の素材とでなるネットとで構成し、
この枠片の対峙面には、それぞれ対峙する多数の小孔を、それぞれ開設し、この対峙する一方の各小孔に、前記ネットの各一方の素材の両端部を、また、この対峙する他方の各小孔に、このネットの各他方の素材の両端部を、それぞれ差込み、かつ支持し、この枠片に、このネットを取付ける構造とし、
前記枠片は、内側、又は外側に向って傾斜する構成とし、この傾斜した枠片に設けた前記各小孔の傾斜面と、前記機材、器材の窓、又は換気扇の吸込口の周辺の面に沿って設けられた、前記ネットの各一方の素材と、各他方の素材との接触部で楔効果を発揮可能とする構成とした安全ネットである。
【００１４】
請求項２の発明は、請求項１の意図と、その枠片の簡易・低コストが図れる構造、又は美感に優れた構造を提供することを意図する。
【００１５】
この請求項２は、請求項１に記載の安全ネットにおいて、
前記内外側に向って傾斜した枠片は、その隣接する四隅を、開放する構成とした安全ネットである。
【発明の効果】
【００２０】
請求項１の発明は、機材、器材の窓、又は換気扇の吸込口の周辺に取付けられる安全カバーにおいて、
安全カバーは、枠体と、枠体に立上げる方形状、異形状の枠片と、枠片の折曲げを補助する列設した多数の孔と、枠片の内側に開設した方形状、異形状の開口部と、開口部に設けた多数本の一方の素材と、多数本の他方の素材とでなるネットとで構成し、
枠片の対峙面には、それぞれ対峙する多数の小孔を、それぞれ開設し、対峙する一方の各小孔に、ネットの各一方の素材の両端部を、また、対峙する他方の各小孔に、ネットの各他方の素材の両端部を、それぞれ差込み、かつ支持し、枠片に、ネットを取付ける構造とし、
枠片は、内側、又は外側に向って傾斜する構成とし、傾斜した枠片に設けた各小孔の傾斜面と、前記機材、器材の窓、又は換気扇の吸込口の周辺の面に沿って設けられた、ネットの各一方の素材と、各他方の素材との接触部で楔効果を発揮可能とする構成とした安全ネットである。
【００２１】
従って、請求項１は、溶接レス、及び手作業で枠体のネットの取付け位置と、その取付け箇所を確保できる安全ネットを提供できること、又はネットを、工具を必要とせず、簡易かつワンタッチでの取付け、又は取外し（着脱）ができる安全ネットの構造を提供できること、等の特徴がある。また、この請求項１は、前記自由なネットの着脱を介して、保守管理の容易化と、収容・製造の容易化、又は低コスト化、等が図れる利点がある。さらに請求項１は、その枠片の構造を提供できること、等の特徴がある。
【００２４】
請求項２の発明は、請求項１に記載の安全ネットにおいて、
内外側に向って傾斜した枠片は、その隣接する四隅を、開放する構成とした安全ネットである。
【００２５】
従って、請求項２は、請求項１の意図を達成できること、その枠片の簡易・低コストが図れる構造、又は美感に優れた構造を提供できること、等の特徴がある。
【図面の簡単な説明】
【００３０】
【図１】枠体の加工前の状態を示した正面図
【図２】第一実施例であって、枠片が立設した安全カバーの斜視図
【図３】第一実施例であって、枠片が立設した安全カバーの各パーツを分解して示した斜視図
【図４】第一実施例であって、全体を示した斜視図
【図５】第二実施例であって、枠片が内方に傾斜した安全カバーの正面図
【図６】第二実施例であって、図４に示したＡ−Ａ断面図
【図７】第三実施例であって、枠片が外方に傾斜した安全カバーの正面図
【図８】第三実施例であって、図７に示したＡ−Ａ断面図
【図９】本発明の安全カバーを制御盤に設けた一例を示した縮尺斜視図
【図１０】本発明の安全カバーを制御装置に設けた一例を示した縮尺斜視図
【図１１】本発明の安全カバーを、組立てケース（容器）として使用する一例を示した縮尺斜視図
【図１２】本発明の安全カバーを扇風機に設けた一例を示した縮尺斜視図
【図１３】本発明の安全カバーの考えをフェンスのメッシュの連結として使用した一例を示した縮尺斜視図
【発明を実施するための形態】
【００３１】
以下、本発明の好ましい各実施例を説明する。
【００３２】
図１〜図３に示した第一実施例では、安全カバーの基本素材を、方形状（形状の一例であり、三角形状、細長方形状、その他異形状等を含む）の板状の枠体１をレーザー加工等で製作する。この枠体１の取付鍔片１００には、その四隅部に取付用孔２等を、また、その中心部位１０１には窓となる開口部３を形成する。そして、この開口部３と取付鍔片１００との間には枠片５となる方形帯状の境界部１０２を形成する。この枠片５と取付鍔片１００との境界部１０２には、前記枠片５を、略９０度に立上げる（立設する）為の多数の折曲げ用の小孔６を、連続的に、正面視して方形状に形成する。この立上げは、図３に示してある。この３図は、枠片５の隅部５００には、空間（三角欠損部）１３が生ずるが、その手当ては、後述する図４で示す。
【００３３】
また、この枠片５には、後述するネットを差込み支持する為の差込用の小孔７（対峙する小孔７ａ〜７ｄとする）を開設する。この開設の一例では、枠片５の対峙面５ａ、５ｂ（５ｃ、５ｄ）には、それぞれ対峙する多数の小孔７ａ、７ｂ（７ｃ、７ｄ）を、それぞれ開設する。例えば、この対峙する一方の各小孔７ａ、７ｂに、図３に示した、後述する編成したネットの多数本の一方の素材の両端部を、また、この対峙する他方の各小孔７ｃ、７ｄに、このネットの多数本の他方の素材の両端部を、それぞれ差込み、かつ支持し、この枠片５に、このネットを取付ける構造である。
【００３４】
そして、ネット８は、一方の素材８００（縦方向の素材）と、他方の素材８０１（横方向の素材）とを編成した構造であり、前述の如く、対峙する多数の小孔７ａ、７ｂ（７ｃ、７ｄ）は、一方の素材８００の端部８００ａ、８００ｂ（他方の素材８０１の端部８０１ｃ、８０１ｄ）を差込み支持する。この状態が、図２の斜視図に示されている。また図中１０は止め具で、この止め具１０の螺子部１０００は、一方の素材８００の各端部８００ａ、８００ｂと、他方の素材８０１の端部８０１ｃ、８０１ｄとに、それぞれ設けた螺子１１に螺着される構造である。この螺子１１の螺着で、一方の素材８００と他方の素材８０１の抜止めを図り、また、この一方の素材８００と他方の素材８０１を、枠片５の対峙面５ａ〜５ｄ間に、固定的に支持する。
【００３５】
この第一実施例では、対峙する多数の小孔７ａ、７ｂ（７ｃ、７ｄ）の内周面に、一方の素材８００の端部８００ａ、８００ｂ（他方の素材８０１の端部８０１ｃ、８０１ｄ）が線接触で支持されることで、この一方の素材８００の端部８００ａ、８００ｂ（他方の素材８０１の端部８０１ｃ、８０１ｄ）に対する加圧防止に有効と考えられる。また、図２の例では、空間１３のままの形態であって、この一例では、低コスト化、作業性の向上と、材料の省略化、又はレーザー加工に有益な構造とすること、等を目的とする（他の各実施例も同じ）。尚、図４は、この第一実施例の他の例では、隅部５００の空間１３に、当板５００ａを設けた例である（他の各実施例も同じであるが、図示しない）。この空間１３をなくし、枠片５の補強と、従来の慣習を確保する構造である。
【００３６】
図５・図６に示した第二実施例では、原則として、第一実施例と同じであるが、この第二実施例では、枠片５を開口部３側に傾斜して立上げる構造であり、その他は前述の第一実施例に準ずる。また、この第二実施例では、対峙する多数の小孔７ａ、７ｂ（７ｃ、７ｄ）の傾斜面（内周面）の上下面部で、かつ内外面部に、一方の素材８００の端部８００ａ、８００ｂ（他方の素材８０１の端部８０１ｃ、８０１ｄ）が点接触（接触部）で支持されることで、この一方の素材８００の端部８００ａ、８００ｂ（他方の素材８０１の端部８０１ｃ、８０１ｄ）に対する楔効果を発揮できることと、加圧の緩衝に有効と考えられる（他の実施例も同じ）。尚、枠片５の各隅部５００が連設される構造でなく、空間１３を設けることで、材料の節約と、作業の容易化、又は斬新性の確保等が図れると考えられる（他の実施例も同じ）。
【００３７】
また、図７・図８に示した第三実施例では、原則として、第一実施例と同じであるが、この第三実施例では、枠片５を開口部３の反対側に傾斜して立上げる構造であり、その他は前述の第一実施例に準ずる。また、この第三実施例では、対峙する多数の小孔７ａ、７ｂ（７ｃ、７ｄ）の傾斜面（内周面）の上下面部で、かつ外内面部に、一方の素材８００の端部８００ａ、８００ｂ（他方の素材８０１の端部８０１ｃ、８０１ｄ）が点接触（接触部）で支持されることで、この一方の素材８００の端部８００ａ、８００ｂ（他方の素材８０１の端部８０１ｃ、８０１ｄ）に対する楔効果を発揮できることと、加圧の緩衝に有効と考えられる。また、後述する窓１５の機能を拡充できると考えられる（他の実施例も同じ）。
【００３８】
そして、図９〜図１３は、本発明の使用例の好ましい、各実施例を示したものであり、図１０の縮尺斜視図は、安全カバーを制御盤２０の窓１５に設けた一例を示した。また、図１１の縮尺斜視図は、安全カバーを制御装置２１の窓１５に設けた一例を示した。図１２の縮尺斜視図は、安全カバーを組立てケース２２（容器、装飾品等）とし、窓１５、又は装飾として使用する一例を示した。さらに、図１３の縮尺斜視図は、安全カバーを扇風機２３に設けた一例を示した。図１４の縮尺斜視図は、安全カバーの考えをフェンス２５のメッシュの連結として使用した一例を示した。そして、何れの使用も、溶接レスである。
【符号の説明】
【００３９】
１            枠体
２            取付用孔
１００        取付鍔片
１０１        中心部位
１０２        境界部
３            開口部
５            枠片
５ａ          対峙面
５ｂ          対峙面
５ｃ          対峙面
５ｅ          対峙面
５００        隅部
５００ａ      当板
６            小孔
７            小孔
７ａ          小孔
７ｂ          小孔
７ｃ          小孔
７ｄ          小孔
８            ネット
８００        一方の素材
８００ａ      端部
８００ｂ      端部
８０１        他方の素材
８０１ｃ      端部
８０１ｄ      端部
１０          止め具
１０００      螺子部
１１          螺子
１３          空間
１５          窓
２０          制御盤
２１          制御装置
２２          ケース
２３          扇風機
２５          フェンス
【図７】
0005792996.tif 000002
【図１】
0005792996.tif 000003
【図２】
0005792996.tif 000004
【図３】
0005792996.tif 000005
【図４】
0005792996.tif 000006
【図５】
0005792996.tif 000007
【図６】
0005792996.tif 000008
【図８】
0005792996.tif 000009
【図９】
0005792996.tif 000010
【図１０】
0005792996.tif 000011
【図１１】
0005792996.tif 000012
【図１２】
0005792996.tif 000013
【図１３】
0005792996.tif 000014